(57)【要約】【課題】ベーステープを、強度、耐久性、耐熱性を維持したまま薄型化し、例えば非常に薄い皮膚の線量当量であっても、より正確に計測することを課題とする。【解決手段】本発明の熱蛍光線量計は、放射線量測定用の蛍光体７を保持するベーステープ８と、ベーステープ８の蛍光体７側を覆うカバーと、ベーステープ８及び透明カバー９の各外周部分を挟持しかつ固定する固定部材と、を有し、ベーステープ８の略中央部にベーステープ８を薄くする凹部８ａを設け、凹部８ａ内に蛍光体７を載置することを特徴とする。【選択図】図７
2014077677.tif 000002
【特許請求の範囲】
【請求項１】
放射線量測定用の蛍光体を保持するベーステープと、前記ベーステープの前記蛍光体側を覆うカバーと、前記ベーステープ及び前記カバーの各外周部分を挟持しかつ固定する固定部材と、を有し、
前記ベーステープの略中央部に前記ベーステープを薄くする凹部を設け、前記凹部内に前記蛍光体を載置することを特徴とする熱蛍光線量計。
【請求項２】
前記ベーステープは、前記凹部形成部分の厚みが７０μｍ以下で、前記凹部の外周部が７０μｍ以上であることを特徴とする請求項１に記載の熱蛍光線量計。
【請求項３】
前記固定部材は、前記ベーステープの外周部分を載置し得る段部を内側に備える枠体と、前記ベーステープ及び前記カバーの各外周部分を前記段部との間に挟持するリングと、を備え、前記環状枠体と前記リングとが同一金属により形成されて固着されることを特徴とする請求項１または２のいずれかひとつに記載の熱蛍光線量計。
【請求項４】
前記環状枠体と前記リングとは、前記蛍光体がＬｉＢの場合にはアルミニウム材からなることを特徴とする請求項１〜３のいずれかひとつに記載の熱蛍光線量計。
【請求項５】
前記環状枠体と前記リングとは、前記蛍光体がＣａＳの場合には真鍮材からなり、かつ前記環状枠体を支持するホルダに、前記環状枠体の軸線方向両側で挟むように鉛板が設けられていることを特徴とする請求項１〜３のいずれかひとつに記載の熱蛍光線量計。
【発明の詳細な説明】
【技術分野】
【０００１】
本発明は、放射線の検出に用いられる熱蛍光線量計に関するものである。
【背景技術】
【０００２】
従来、放射線の検出には種々の方法があり、その中の一つに、放射線照射後に熱を加えることにより発光する現象を利用した熱蛍光線量計がある。熱蛍光線量計では、熱蛍光物質の加熱温度と発光強度との関係を示すグロー曲線に基づいて放射線量を求めることができる。また、発光物質を選ぶことにより各種の放射線（β線、γ線、中性子線等）に適用し得ると共に、加熱後に再び放射線照射前の状態に戻ることにより、繰り返し使用できるという特徴を有する。上記熱蛍光線量計には、蛍光体と、蛍光体を保持する基板及びカバーと、これらを収納するホルダ（カード）とにより構成されるものがある（例えば特許文献１参照）。
【先行技術文献】
【特許文献】
【０００３】
【特許文献１】特開昭５３−７７５７６号公報
【発明の概要】
【発明が解決しようとする課題】
【０００４】
上記したような熱蛍光線量計では、皮膚の線量当量（例えば、身体表面から７０μｍの深さの組織の線量当量である「７０μｍ線量当量」）を測定することが課題となる。すなわち、比重がほぼ１である皮膚の身体表面から７０μｍの深さに相当するには、一般的に比重が１よりも大きい樹脂などを材料とするベーステープにあっては４０〜６０μｍ程度まで薄く形成しなくてはならない。すなわち、４０〜６０μｍ程度のベーステープ上に載置された蛍光体は、身体表面から７０μｍの深さの組織と同程度の放射線を吸収するといえる。
【０００５】
しかし、ベーステープを薄く形成すると、ベーステープの強度、耐久性が落ち、蛍光体を保持することが困難となる。
【０００６】
本発明は、このような従来技術の問題点を解消するべく案出されたものであり、その主な目的は、皮膚の線量当量を、より正確に近くなるように計測することのできるベーステープを備えた熱蛍光線量計を提供することにある。
【課題を解決するための手段】
【０００７】
本発明の熱蛍光線量計は、放射線量測定用の蛍光体を保持するベーステープと、ベーステープの蛍光体側を覆うカバーと、ベーステープ及びカバーの各外周部分を挟持しかつ固定する固定部材と、を有し、ベーステープの略中央部にベーステープを薄くする凹部を設け、凹部内に蛍光体を載置することを特徴とする熱蛍光線量計構成とする。
【発明の効果】
【０００８】
本発明によれば、ベーステープを、強度、耐久性、耐熱性を維持したまま薄型化することができ、例えば非常に薄い皮膚の線量当量であっても、より正確に計測することができる。
【図面の簡単な説明】
【０００９】
【図１】本発明の実施の形態における熱蛍光線量計を用いたＴＬバッジの例を示す全体斜視図
【図２】本発明の実施の形態における蛍光体ユニットの構成を示す分解斜視図
【図３】本発明の実施の形態における蛍光体ユニットの組み上がり状態を示す要部断面図
【図４】本発明の実施の形態におけるＴＬバッジの使用状態における要部側断面図
【図５】本発明の実施の形態における蛍光体ユニットの測定要領を示す模式図
【図６】本発明の実施の形態におけるベーステープの斜視図
【図７】本発明の実施の形態における蛍光体ユニットの断面図
【図８】本発明の実施の形態におけるベーステープと蛍光体の断面図
【発明を実施するための形態】
【００１０】
前記課題を解決するためになされた第１の発明は、放射線量測定用の蛍光体を保持するベーステープと、前記ベーステープの前記蛍光体側を覆うカバーと、前記ベーステープ及び前記カバーの各外周部分を挟持しかつ固定する固定部材と、を有し、前記ベーステープの略中央部に前記ベーステープを薄くする凹部を設け、前記凹部内に前記蛍光体を載置することを特徴とする。
【００１１】
これによると、ベーステープを、強度、耐久性、耐熱性を維持したまま薄型化することができ、例えば非常に薄い皮膚の線量当量であっても、より正確に計測することができる。
【００１２】
また、第２の発明は、前記ベーステープは、前記凹部形成部分の厚みが７０μｍ以下で、前記凹部の外周部が７０μｍ以上であることを特徴とする。
【００１３】
これによると、皮膚の線量当量をより正確に計測することができる。すなわち、一般的に皮膚の厚みは７０μｍ程度である。一般的なベーステープの材料（樹脂）は皮膚よりも比重が高いため、凹部形成部分の厚みを７０μｍ以下とすることで、より正確な値に近づけることができる。また、外周部を７０μｍ以上とすることで、外周部は強度を維持することができる。
【００１４】
また、第３の発明は、前記固定部材は、前記ベーステープの外周部分を載置し得る段部を内側に備える枠体と、前記ベーステープ及び前記カバーの各外周部分を前記段部との間に挟持するリングと、を備え、前記環状枠体と前記リングとが同一金属により形成されて固着されることを特徴とする。
【００１５】
これによると、放射線に対する影響が同一となり、測定値を安定化し得る。すなわち、環状枠体とリングとを同一金属とすることにより、環状枠体とリングとで透過させる放射線の種類、量が同一となるので、蛍光体が斜め方向から吸収する放射線量を一定にすることができる。さらに、熱膨張率を近づける（同一とする）ことができる。また、環状枠体６とリング１０との熱膨張の具合が同一であることで、加熱、冷却されても、同じように膨張、収縮し、密封を維持することができる。
【００１６】
また、第４の発明は、前記環状枠体と前記リングとは、前記蛍光体がＬｉ2Ｂ4Ｏ7（以下、ＬｉＢとする。）（ホウ酸リチウム）の場合にはアルミニウム材からなることを特徴とする。
【００１７】
これによると、ＬｉＢ系の蛍光体による測定において、環状枠体及びリングの材質による影響が無く、正確な測定を行うことができる。
【００１８】
また、第５の発明は、前記環状枠体と前記リングとは、前記蛍光体がＣａＳの場合には真鍮材からなり、かつ前記環状枠体を支持するホルダに、前記環状枠体の軸線方向両側で挟むように鉛板が設けられていることを特徴とする。
【００１９】
これによると、ＣａＳＯ4（以下、ＣａＳとする。）（硫酸カルシウム）の蛍光体の場合には、Ｘ線に対する感度が高すぎるため、環状枠体の前後（環状枠体の軸線方向両側）に鉛板を設け、更に環状枠体の材質を真ちゅうとすることで、前後だけでなく、斜め方向からのＸ線を遮蔽することにより、Ｘ線の蛍光体への照射方向に対する依存性を小さくすることができ、測定の安定化を達成し得る。
【００２０】
（実施の形態）
以下、本発明の実施の形態を、図面を参照しながら説明する。
【００２１】
図１は、本発明の実施の形態における熱蛍光線量計を用いたＴＬ（ｔｈｅｒｍｏｌｕｍｉｎｅｓｃｅｎｃｅ）バッジの例を示す全体斜視図である。図示例のＴＬバッジ１は、長方形状の扁平箱形のケース２（ホルダ）と、ケース２の長手方向に挿抜自在な細長平板状のプレート３と、プレート３にその長手方向に並べて配置されかつ取り付け取り外し自在な蛍光体ユニット５とにより構成される。
【００２２】
プレート３には、長手方向に並べられた４つの円形状の保持孔４が設けられている。保持孔４には円盤状の蛍光体ユニット５が装着される。保持孔４は、蛍光体ユニット５を若干の遊びをもって収容し得る内径の大きさで、かつ蛍光体ユニット５の外周部を載置状態に支持し得る内向フランジ部４ａを有する形状に成型されている。なお、図１では蛍光体ユニット５は１つのみ図示されているが、４つの保持孔４にそれぞれ蛍光体ユニット５を入れて、プレートをケース２に没入（挿入）する。もちろん、蛍光体ユニット５の形状は円盤状（円形）に限られず、楕円、多角形などでもよい。
【００２３】
図２は、本発明の実施の形態における蛍光体ユニット５の構成を示す分解斜視図である。蛍光体ユニット５は、保持孔４の内向フランジ部４ａに載置される大きさの円形の環状枠体６と、上面に蛍光体７が一体的に載せられかつ環状枠体６に収容されるベーステープ８と、蛍光体７を含むベーステープ８の上面の全体を覆う透明カバー９と、ベーステープ８及び透明カバー９を環状枠体６に固定するためのリング１０とにより構成される。環状枠体６、ベーステープ８、透明カバー９の外形を本実施の形態においては円形としているが、前述したように楕円、多角形などでもよい。このとき、ベーステープ８及び透明カバー９の各外周部分を挟持しかつ固定する固定部材は環状枠体６とリング１０とである。しかし、プレート３の保持孔４の内向フランジ部４ａとリング１０とで挟持して固定してもよいし、プレート３の上部（リング１０側）をかしめて内向フランジ部４ａとの間で挟持し固定しても良い。ベーステープ８の形状は、平坦な板状であっても、後で説明する凹部が形成されてもよい。
【００２４】
図３は、本発明の実施の形態における蛍光体ユニット５の組み上がり状態を示す要部断面図である。環状枠体６は、その外周を形成する周壁部６ａと、周壁部６ａの内側の基部から半径方向内向きに成型された段部６ｂとにより扁平な皿状に形成されている。なお、環状枠体６の底壁を形成する段部６ｂは周壁部６ａから所定長だけ延出されており、底壁の中央部分には段部６ｂの内周部により円形に成型された開口６ｃが設けられている。周壁部６ａと段部６ｂとは、同一の厚みであることが好ましいが、周壁部６ａは最終的にかしめられることがあるため、周壁部６ａを段部６ｂよりも薄く形成しても良い。
【００２５】
ベーステープ８は、例えばポリイミド樹脂に炭素粉末を混入したものにより形成されるとよく、それにより高い耐熱性及び遮光性が確保される。また、透明カバー９は、例えばテフロン（登録商標）により形成されるとよく、それにより透明性及び耐熱性が確保される。これらベーステープ８と透明カバー９との外径は、それぞれ環状枠体６の周壁部６ａの内径と同一もしくは略小径にされている。段部６ｂの図３における上面に、ベーステープ８の外周部分と透明カバー９の外周部分とがこの順に積層される。
【００２６】
段部６ｂに載置されたベーステープ８の外周部に透明カバー９の外周部分が積層された状態で、透明カバー９の外周部分の上に円環状のリング１０がさらに積層される。リング１０は、周壁部６ａの内周面に略密接する外径となる大きさに成型され、かつ段部６ｂの内向延出長さと略同一幅及び周壁部６ａの高さよりは低い厚さの矩形断面形状に形成されている。
【００２７】
リング１０を上記したように積層し、かつリング１０の外周面と周壁部６ａの内周面とを接着することにより、段部６ｂとリング１０との間にベーステープ８及び透明カバー９の外周部分が挟持される。このようにして、リング１０と共にベーステープ８及び透明カバー９が環状枠体６に一体的に固定され、環状枠体６・ベーステープ８・透明カバー９・リング１０によりユニット化された蛍光体ユニット５が形成される。なお、リング１０を環状枠体６に固着する方法としては、接着に限られるものではなく、例えば図３の矢印Ａに示されるように周壁部６ａの適所を内側にかしめて、リング１０を固定するようにしてもよい。
【００２８】
透明カバー９におけるリング１０の内周縁から半径方向内側部分には、図３によく示されるようにベーステープ８側とは相反する側にドーム状に膨出されたドーム部９ａが形成されている。このドーム部９ａとベーステープ８との間の空間１１に、ベーステープ８の上面に配設（保持）された蛍光体７が受容（収容）され、上記したリング１０の固定により空間１１が外部に対して密封されている。
【００２９】
蛍光体７の材料としては、例えば、人体とほぼ等価な実効原子番号（７．２６）をもつホウ酸リチウム系蛍光体として、天然のnＬｉ、nＢを同位体濃縮した6Ｌｉ、7Ｌｉおよび10Ｂ、11Ｂを組み合わせた6Ｌｉ210Ｂ4Ｏ7（Ｃｕ）と7Ｌｉ211Ｂ4Ｏ7（Ｃｕ）と、および非濃縮のnＬｉ2nＢ4Ｏ7（Ｃｕ）との３種類があり、高感度を有する硫酸カルシウム蛍光体ＣａＳＯ4（Ｔｍ）とがあり、これら４種類の蛍光体を測定目的に応じて用いるとよい。
【００３０】
なお、nＬｉ2nＢ4Ｏ7（Ｃｕ）は、生体等価なＬｉＢにＣｕを活性体として添加して蛍光体としたものであり、γ、Ｘ、β線の他、熱中性子に対して感度を有する。7Ｌｉ211Ｂ4Ｏ7（Ｃｕ）は、nＬｉ2nＢ4の代わりに同位体濃縮材料7Ｌｉ211Ｂ4を用いたものであり、中性子にはほとんど感度を有しないが、γ、Ｘ、β線に対する特性はnＬｉ2nＢ4Ｏ7（Ｃｕ）と等価である。6Ｌｉ210Ｂ4Ｏ7（Ｃｕ）は、nＬｉ2nＢ4Ｏ7の代わりに同位体濃縮材料6Ｌｉ210Ｂ4Ｏ7を用いたものであり、熱中性子に大きな感度を有し、γ、Ｘ、β線に対する特性はnＬｉ2nＢ4Ｏ7（Ｃｕ）と等価である。
【００３１】
また、ＣａＳＯ4（Ｔｍ）は、非生体等価のＣａＳにＴｍを活性体として添加して蛍光体としたものであり、γ・Ｘ線に高感度なため、金属シールドと共に低線量のγ・Ｘ線の測定に用いられる。また、金属シールド無しでは低エネルギーのγ・Ｘ線に過大な応答を示すので、ＬｉＢ系の蛍光体を組み合わせて、γ・Ｘ線のエネルギー評価に用いられる。なお、中性子線にはほとんど感度を有しない。
【００３２】
また、熱蛍光線量計において、測定目的や線種に対応していろいろなシールド材料を用いることがあるＬｉＢ系を用いた場合には、例えば、深部線量当量（皮膚下１ｃｍ）の評価には、蛍光体ユニット５の厚みが１６０ｍｇ／ｃｍ2の場合に８４０ｍｇ／ｃｍ2のＡＢＳ材のハンガを組み合わせて１０００ｍｇ／ｃｍ2の樹脂シールドが用いられる。皮膚表面線量（皮膚下７ｍｇ／ｃｍ2のβ線吸収線量）の測定には５０ｍｇ／ｃｍ2のシールドが使われ、同位体濃縮蛍光体を用いた中性子線量の測定にはＣｄ（カドミウム）シールドが熱中性子吸収用、Ｓｎ（錫）シールドがγ線補償用として使われる。ＣａＳ系の場合には、樹脂シールド、Ｐｂ（鉛）シールドがそれぞれγ・Ｘ線のエネルギー評価や低線量の測定評価に使われる。
【００３３】
本ＴＬバッジ１の場合には、ケース２の材質をＡＢＳ樹脂とし、プレート３の材質をノリル樹脂としている。図１に示されるように、ケース２の上下面（図では上面のみ示されている）に６つの矩形の窪み２ａが設けられている場合があり、各窪み２ａには平板状のシールド体１２が貼り合わされる。なお、２箇所にリング１０及び遮光フィルム１３ａを設けた２窓形や、全て（４箇所の裏表）にシールド体１２を８枚貼った無窓形があり、測定目的に応じて使い分けることができる。
【００３４】
図４は、本発明の実施の形態におけるＴＬバッジ１の使用状態における要部側断面図である。図の上側が装着状態における表面側であり、図の下側が人体側となる。図に示されるように、蛍光体ユニット５は、透明カバー９側を下側にして配設されている。
【００３５】
蛍光体ユニット５におけるベーステープ８は厚さ約１００μｍのカーボン含有の高耐熱ポリイミドフィルムからなり、蛍光体７は平均粒径約９０μｍのものが略一層に形成され、透明カバー９はテフロン（登録商標）材からなるものであってよい。上記したように、蛍光体７はベーステープ８と透明カバー９とにより外部に対して遮断されており、蛍光体７にゴミや埃等が付着することが防止されている。なお、層の厚さ１５ｍｇ／ｃｍ2となる蛍光体７は、１１ｍｇ／ｃｍ2（ベーステープ８）及び３ｍｇ／ｃｍ2（透明カバー９）でカバーされている形態となる。なお、本実施の形態においては、ベーステープ８のカーボン含有量は、全体の約２％程度である。
【００３６】
図５は、本発明の実施の形態における蛍光体ユニット５の測定要領を示す模式図である。検出機は、光加熱方式であってよく、ベーステープ８側に赤外線を出射するタングステンランプ１４が配設され、タングステンランプ１４の蛍光体ユニット５側にはＳｉフィルタ１５が配設され、Ｓｉフィルタ１５と蛍光体ユニット５との間には集光チューブ１６が配設されている。蛍光体ユニット５の透明カバー９側には光学フィルタ１７を介してＰＭ管１８が配設されている。
【００３７】
タングステンランプ１４からの光は、Ｓｉフィルタ１５により波長１．２μｍ以下の可視光が取り除かれる。Ｓｉフィルタ１５を通過した赤外光が、集光チューブ１６により蛍光体ユニット５のベーステープ８に集光される。ベーステープ８は、上記したようにカーボン含有の高耐熱ポリイミドフィルムにより形成されており、Ｓｉフィルタ１５を通過した光の中の赤外光を吸収して温度が上昇し、蛍光体７を加熱する。
【００３８】
蛍光体７は、約３５０℃まで昇温されるが、その昇温に要する時間は１秒以内である。なお、タングステンランプ１４を３回点灯する。１回目の点灯でプリアニールを行い、２回目の点灯で測定を行って、３回目の点灯で残線量の消去を行う。このようにして蛍光体ユニット５の測定を行うことができ、１つの蛍光体ユニット５の測定〜アニールに要する時間は約３秒で済む。
【００３９】
このように本発明によれば、１種類の蛍光体７を設けたエレメントを１つの蛍光体ユニット５としたことから、ユニット毎に取り扱うことができ、例えば同一種類の蛍光体７を２つずつプレート３に配設したＴＬバッジ１を用意する場合に、それら同一種類の蛍光体７の感度が許容値内に入るよう、ユニット単位で測定、選別することができるため、歩留りが良い。
【００４０】
また、環状枠体６にリング１０を固着して、ベーステープ８と透明カバー９とを挟持することから、蛍光体７を受収容する空間の密封性を容易に確保することができる。例えばリング１０の平面度をある程度高精度にすることにより、環状枠体６の周壁部６ａのかしめだけで、リング１０と段部６ｂとの間に挟持された状態のベーステープ８と透明カバー９との外周部の密着度を高く確保し得る。これにより、蛍光体７に対する湿気やゴミまたは埃等からの保護を確保し得る蛍光体ユニット５の組立を容易に行うことができ、蛍光体７を蛍光体ユニット５単位で取り扱うことに何等問題が生じることがない。
【００４１】
また、蛍光体７の上記各材料に応じて、測定感度に悪影響を与えない材料で環状枠体６とリング１０とを形成するとよく、例えば環状枠体６とリング１０とを同一金属により形成するとよい。このように、環状枠体６とリング１０とを同一金属にすることにより、放射線に対する影響が同一となり、測定値を安定化し得る。すなわち、環状枠体６とリングとを同一金属とすることにより、環状枠体６とリング１０とで透過させる放射線の種類、量が同一となるので、蛍光体７が斜め方向から吸収する放射線量を一定にすることができる。なお、同一金属とは、厳密に同種類の金属どうしである必要はなく、比重の近い（プラスマイナス１０％以内程度）金属どうしであれば十分である。また、たとえばアルミとアルミ合金の組み合わせのように、一方が合金であっても良い。
【００４２】
さらに、環状枠体６とリング１０とを同一金属とすることで、熱膨張率を近づける（同一とする）ことができる。本願発明において環状枠体６とリング１０との熱膨張の具合が同一であることで、加熱、冷却されても、同じように膨張、収縮し、密封を維持することができる。また、環状枠体６とリング１０とを厳密に同一金属としなくても、熱膨張率の近い（プラスマイナス１０％以内程度）金属どうしであれば十分である。また、上記の効果をえるためには、同一材料の樹脂どうしであってもよい。もちろん、ここでいう同一材料の樹脂とは厳密に同一種類である必要がなく、比重及び熱膨張率がほぼ同一な材料どうしであればよい。但し、同一金属がもっとも好ましい。
【００４３】
また、蛍光体７がＬｉＢの場合には環状枠体６とリング１０とをアルミニウム材により形成するとよい。この場合には、ＬｉＢの蛍光体７による測定において、環状枠体６及びリング１０の材質による影響が無く、正確な測定を行うことができる。
【００４４】
また蛍光体７がＣａＳの場合には、環状枠体６とリング１０とを真鍮材により形成し、さらに環状枠体６の前後に鉛板を設けるとよい。ＣａＳの蛍光体７の場合には、Ｘ線に対する感度が高すぎるため、環状枠体６の斜め方向からのＸ線に対しても反応してしまうことから、環状枠体６の材質を比重の大きい真ちゅう材を選定することでそのような斜め方向からのＸ線を遮蔽することにより、Ｘ線の蛍光体７への照射方向に対する依存性を小さくすることができ、測定の安定化を達成し得る。
【００４５】
また、前述した宮崎県宮崎市佐土原町下田島７８２６番地２８  パナソニックＳＮ九州株式会社内ベーステープ８は、前述したように平坦な板状であっても、これから説明する凹部を形成した形状であっても良い。
【００４６】
図６は、本発明の実施の形態におけるベーステープの斜視図であり、図６（ａ）は、ベーステープのみの場合、図６（ｂ）は、蛍光体を載置した場合、を示す。図７は、本発明の実施の形態における蛍光体ユニットの断面図である。図８は、本発明の実施の形態におけるベーステープと蛍光体の断面図であり、図８（ａ）は、本実施の形態のように凹部を形成した場合、図８（ｂ）は比較のため、実施の形態で説明されたような凹部を形成しない場合、を示す。
【００４７】
図６〜図８に示すとおり、ベーステープ８の略中央に円形の凹部８ａを形成し、凹部８ａ内に蛍光体７を配置する。凹部８ａの深さよりも蛍光体７の粒径の方が大きい場合もあるので、蛍光体７は必ずしも外周部８ｂ表面よりも下側に収まるとは限らない。
【００４８】
凹部８ａのサイズは、図８（ａ）において以下のとおりである。すなわち、ベーステープ８の外径Ｄが７ｍｍ（５〜１０ｍｍ程度であると良いが、この範囲に限られない）、凹部８ａの外径ｄが４ｍｍ（３〜６ｍｍ程度であると良いが、この範囲に限られず、必ずＤよりも小さい）である。凹部８ａの面積がベーステープ８の面積の２５〜４０％程度であることが好ましい。なお、蛍光体７は略円形状に載置され、その載置領域の直径はほぼ３ｍｍ程度（１〜５ｍｍ程度であると良いが、この範囲に限られず、必ずｄよりも小さい）である。凹部８ａは蛍光体７の載置領域のまわりを約０．５ｍｍ（０．３〜１ｍｍ程度であると良いが、この範囲に限られない）の余裕を持つように形成されている。また、ベーステープ８の外周部８ｂの厚みＨは８０μｍ（７０〜１００μｍ程度であると良いが、この範囲に限られない）であって、凹部８ａ形成部分の厚みｈは５０μｍ（４０〜６０μｍ程度であると良いが、この範囲に限られず、必ずＨよりも小さい）である。すなわち、２０〜４０μｍ程度の穴が形成される。凹部８ａの深さは、３０μｍ（２０〜５０μｍ程度であると良いが、この範囲に限られない）であり、ｈはＨの３０〜６０％程度であるとよい。
【００４９】
凹部８ａの形状は円形に限られず、楕円、多角形など他の形状であっても良い。また、ベーステープ８の外形も同様に楕円、多角形など他の形状であってもよく、ベーステープ８の外形と凹部８ａとの外形が必ずしも同一でなくてもよい。ただし、ベーステープ８の外形と凹部８ａとの外形とを同一にすることによって、ベーステープ８の強度をバランスよく維持することができる。また、ベーステープ８の外形と凹部８ａとの外形とを同一にしてベーステープ８の外周部８ｂ（凹部８ａを備えない、高さＨの領域）の幅を一定化することによって、蛍光体７の放射線吸収が方向によって大きく偏らない。更に、双方の外形を円形とすることによって、蛍光体７の全周囲方向において、外周部８ｂの幅、ベーステープ８の厚みなどに方向性がなくなり、蛍光体７の放射線吸収が方向性によって偏りにくくなる。また、凹部８ａの外形は、環状枠体６の段部６ｂ、透明カバー９、リング１０の外形とも同一の形状であるとより良い。これにより、更に蛍光体７の放射線吸収における方向性が緩和され、より正確な値に近づくことができる。
【００５０】
また、ベーステープ８の外周部８ｂの幅を、環状枠体６の段部６ｂ、リング１０といった固定部材の幅よりも大きくすることが好ましい。これにより、環状枠体６の段部６ｂ、リング１０といった固定部材はベーステープ８のうち外周部８ｂを挟持できるので、固定部材で強固にベーステープ８を挟持することができる。
【００５１】
上記のような構成とすることによって、ベーステープ８において、蛍光体７が載置される領域を薄く形成して厚さｈとすると同時に、その周りを厚さＨ（Ｈ＞ｈ）として相対的に厚く形成して、ベーステープ８の強度と薄型化を両立することができる。
【００５２】
蛍光体７載置領域を薄くすることによって、人間の皮膚に当たった放射線の線量当量により近い値を計測することができる。人間の皮膚は一般的に、比重が約１、厚みが約７０μｍである。一方、ベーステープ８を構成する樹脂の比重は一般的に１以上であるため、その厚みは７０μｍ以下である必要がある。また、ベーステープ８には耐熱性、強度、耐久性も求められるため、一定以上の厚みが必要となる。すなわち、前述したように蛍光体ユニット５は、放射線量計測時に約３５０度まで加熱されるため、本実施の形態ではベーステープ８を高耐熱ポリイミドフィルムで構成している。ポリイミドフィルムの比重は約１．４であるため、凹部形成部分の厚みｈは５０μｍとしている。ベーステープ８の材料の比重にもよるが、一般的に樹脂の比重はいよりも大きいため、ｈは７０μｍ以下、特に４０〜６０μｍであることが好ましい。ｈが４０μｍ以下となると、ベーステープ８の強度を確保することが困難となる。もちろん、ベーステープ８の材料を変えた場合は、外周の厚みＨ及び凹部形成部分の厚みｈも変わるが、凹部８ａを形成して蛍光体７を載置する領域を、その外周よりも薄く形成することで、同様の効果を得ることができる。
【００５３】
ベーステープ８への凹部８ａ形成加工は、レーザー加工で容易に行われる。従って、凹部８ａ面は多少の凹凸が生じることもあるが、凹部８ａ部分の厚みｈが４０〜６０μｍ程度に収まるようにすれば良い。
【００５４】
また、図８（ａ）に示すように、凹部８ａと外周部８ｂとの段差は直角である必要はなく、傾斜面であっても、曲線であっても良い。
【００５５】
また、ベーステープ８の耐水性を向上させて、空気中の水蒸気や湿気が蛍光体ユニット５内部に入るのを防ぐため、ベーステープ８の裏側に耐水性材料をコーティングしてもよい。ベーステープ８の裏側とは、蛍光体が載置されている面を表側としてその裏側である。特に、上記のようにベーステープ８の蛍光体７載置領域を薄く形成した場合、厚く形成した場合に比較して湿気などが進入する可能性が増えるため、耐水性層を形成することでそれを防ぐことができる。耐水性層の厚みはベーステープ８の厚みより薄く、好ましくは５〜３０μｍ程度である。
【００５６】
以上、本発明を、その好適実施の形態について説明したが、当業者であれば容易に理解できるように、本発明はこのような実施の携帯により限定されるものではなく、本発明の趣旨を逸脱しない範囲で適宜変更可能である。また、上記実施の形態に示した構成要素は必ずしも全てが必須なものではなく、本発明の趣旨を逸脱しない限りにおいて適宜取捨選択することが可能である。
【産業上の利用可能性】
【００５７】
本発明にかかる熱蛍光線量計は、蛍光体を収容する空間の密封性が確保されると共に、ユニット単位で取り扱うことから同種類の蛍光体を２つ以上配設する場合に容易に感度を合わせることができ、測定の正確性が確保されるため、蛍光線量計として有用である。
【符号の説明】
【００５８】
１    ＴＬバッジ
５    蛍光体ユニット
６    環状枠体
６ａ    周壁部
６ｂ    段部
７    蛍光体
８    ベーステープ
８ａ    凹部
８ｂ    外周部
９    透明カバー
１０    リング
【図１】
2014077677.tif 000003
【図２】
2014077677.tif 000004
【図３】
2014077677.tif 000005
【図４】
2014077677.tif 000006
【図５】
2014077677.tif 000007
【図６】
2014077677.tif 000008
【図７】
2014077677.tif 000009
【図８】
2014077677.tif 000010